(57)【要約】  【課題】  洗浄すべきシートの枚数に関係なく、確実に洗浄できるようにしたシート洗浄機を提供する。  【解決手段】  第１、第２の搬送手段(20,21)の間に、シートの表裏面をブラッシングするブラシ洗浄手段(30)を設ける。第１の搬送手段の出口及びブラシ洗浄手段の出口に第１のノズル手段(40)を設け、第１の搬送手段及びブラシ洗浄手段を出たシートの表面に斜め後方に向けて流体を吹き付けてシートを下向きに指向させ、又ブラシ洗浄手段の入口に第２のノズル手段(45)を設け、ブラシ洗浄手段に入るシートの裏面に斜め前方に向けて流体を吹き付けてシートを上向きに指向させ、又第１の搬送手段とブラシ手段の間に洗浄水吹付け手段を設け、シートの表裏面に洗浄水を吹き付ける。【選択図】  図３
2008155127.tif 000002
【特許請求の範囲】
【請求項１】
軟質のシートの表裏面をブラシと洗浄水とによって洗浄するシート洗浄機において、
上下一対のローラからなり、シートを挟んで前方に搬送する第１の搬送手段と、
該第１の搬送手段の前方に設けられ、上下一対のブラシローラからなり、上記第１の搬送ローラによって搬送されてきたシートの表裏面をブラッシングするブラシ洗浄手段と、  該ブラシ洗浄手段の前方に設けられ、上下一対のローラからなり、上記ブラシ洗浄手段からのシートを挟んで前方に搬送する第２の搬送手段と、
上記第１の搬送手段の出口及びブラシ洗浄手段の出口に設けられ、上記第１の搬送手段及びブラシ洗浄手段を出たシートの表面に斜め後方に向けて流体を吹き付けてシートを下向きに指向させる第１のノズル手段と、
上記ブラシ洗浄手段の入口に設けられ、上記ブラシ洗浄手段に入るシートの裏面に斜め前方に向けて流体を吹き付けてシートを上向きに指向させる第２のノズル手段と、
上記第１の搬送手段とブラシ手段の間に設けられ、シートの表裏面に洗浄水を吹き付ける洗浄水吹付け手段と、
を備えたことを特徴とするシート洗浄機。
【請求項２】
上記ブラシ洗浄手段がシート搬送方向に複数配置され、該複数の各ブラシ洗浄手段の前後に上下一対のローラからなる搬送手段が設けられ、最初と最後のブラシ洗浄手段の間のブラシ洗浄手段の前後の搬送手段が上記第１及び第２の搬送手段となっている請求項１記載のシート洗浄機。
【請求項３】
上記洗浄水吹付け手段が上記第１、第２のノズル手段の機能を実現するようになっている請求項１記載のシート洗浄機。
【発明の詳細な説明】
【技術分野】
【０００１】
この発明はシート洗浄機に関し、洗浄すべきシートの枚数に関係なく、確実に洗浄できるようにした洗浄機に関する。
【背景技術】
【０００２】
稲作を行う場合、育苗箱の底に塩化ビニル製の軟質シートを敷き、その上に種籾をまいて発芽させた後、ハウスなどに移してある程度まで育て、育ったマット状の幼苗を育苗箱から取り出して田植え機に載せ、水田に移植することが行われる。
【０００３】
ところで、マット状の幼苗を取り出した後の育苗箱では来年の田植えに備えて育苗箱のシートを洗浄し乾燥して倉庫などに保管するのが一般的である。多くの農家では何十枚や百数十枚といった大量のシートを洗浄する必要があるが、手作業で洗浄しようとすると作業者の負担が非常に大きい。
【０００４】
これに対し、上下一対の第１の搬送ローラと第２の搬送ローラの間に上下一対のブラシローラを配置し、第１、第２の搬送ローラの搬送方向手前に洗浄手段を設け、シュータにセットされたシートの表裏面に洗浄水を吹き付けながら、シートを第１の搬送ローラによって第２の搬送ローラに向けて搬送し、シートの汚れをブラシローラで擦った後、洗浄水で洗浄するようにしたシート洗浄機が提案されている（特許文献１）。
【０００５】
【特許文献１】特開２０００−２１８２４１号公報
【発明の開示】
【発明が解決しようとする課題】
【０００６】
しかし、特許文献１記載のシート洗浄機ではシートをシュータから搬送ローラに送り込む時にシートを受けて高さを保持するガイドを設けているが、かかる構造では洗浄水を吹き付けられたシートの汚れがガイドに次々と付着し、これが後に続くシートの汚れとなって搬送ローラやブラシローラに持ち込まれる結果、洗浄しようとするシートの数が多くなると、シートの汚れがブラシローラや洗浄手段の洗浄能力を越え、汚れが残るおそれがあった。
【０００７】
本発明はかかる問題点に鑑み、洗浄すべきシートの枚数に関係なく、確実に洗浄できるようにしたシート洗浄機を提供することを課題とする。
【課題を解決するための手段】
【０００８】
そこで、本発明に係るシート洗浄機は、軟質のシートの表裏面をブラシと洗浄水とによって洗浄するシート洗浄機において、上下一対のローラからなり、シートを挟んで前方に搬送する第１の搬送手段と、該第１の搬送手段の前方に設けられ、上下一対のブラシローラからなり、上記第１の搬送ローラによって搬送されてきたシートの表裏面をブラッシングするブラシ洗浄手段と、該ブラシ洗浄手段の前方に設けられ、上下一対のローラからなり、上記ブラシ洗浄手段からのシートを挟んで前方に搬送する第２の搬送手段と、上記第１の搬送手段の出口及びブラシ洗浄手段の出口に設けられ、上記第１の搬送手段及びブラシ洗浄手段を出たシートの表面に斜め後方に向けて流体を吹き付けてシートを下向きに指向させる第１のノズル手段と、上記ブラシ洗浄手段の入口に設けられ、上記ブラシ洗浄手段に入るシートの裏面に斜め前方に向けて流体を吹き付けてシートを上向きに指向させる第２のノズル手段と、上記第１の搬送手段とブラシ手段の間に設けられ、シートの表裏面に洗浄水を吹き付ける洗浄水吹付け手段と、を備えたことを特徴とする。
【０００９】
本発明の特徴の１つは第１の搬送手段を出たシートの表面に流体を斜め後方に向かって吹き付け、ブラシ洗浄手段の手前でシートの裏面に流体を斜め前方に向かって吹き付けるようにした点にある。
【００１０】
これにより、第１の搬送手段を出たシートは下方に向かう流体の圧力を受けるが、ブラシ洗浄手段の手前で斜め上前方に吹き付けられる流体と確実に接触し、この流体によって斜め上方に向かう圧力を受けてブラシ洗浄手段に案内され、ブラシ洗浄手段に送り込まれる。
【００１１】
その結果、特許文献１記載のシート洗浄機のようにシートを受けるガイドを設ける必要がないので、シートの汚れが洗浄機内に残存して後続のシートに持ち越されることはほとんどなく、洗浄しようとするシートの枚数が多くてもシートの汚れを確実に洗浄することができる。
【００１２】
ところで、第１の搬送手段を出たシートは自己の重みで下方に垂れ下がるので、第２のノズル手段のみによってシートをブラシ洗浄手段に案内することが考えられる。しかし、シートは軟質で、何らかの原因でシートが上方に跳ね上がることが懸念される。かかる場合、第２のノズル手段のみではシートの跳ね上がりを矯正できない。
【００１３】
本発明は第１の搬送手段を出たシートを第１のノズル手段によって下方に指向させた後、第２のノズル手段によってシートをブラシ洗浄手段に案内するようにしているので、シートを確実にブラシ洗浄手段に案内できる。
【００１４】
第１の搬送手段，ブラシ洗浄手段及び第２の搬送手段のセットは１つでもよく、複数セットであってもよい。この場合、隣接するブラシ洗浄手段の間に第１、第２の搬送手段を設けると、大きなレイアウトスペースを必要とし、洗浄機が大型になる。そこで、隣接するブラシ洗浄手段の間の第１、第２の搬送手段は共用するのがよい。
【００１５】
即ち、ブラシ洗浄手段をシート搬送方向に複数配置し、複数の各ブラシ洗浄手段の前後に上下一対のローラからなる搬送手段を設け、最初と最後のブラシ洗浄手段の間のブラシ洗浄手段の前後の搬送手段を第１及び第２の搬送手段とするのがよい。
【００１６】
シートの姿勢をコントロールする流体は液体でもよく、気体でもよい。液体を用いる場合には洗浄水を利用することができる。即ち、洗浄水吹付け手段が第１、第２のノズル手段の機能を実現するように構成することができる。
【００１７】
本発明に係る洗浄機は軟質のシート、例えば育苗箱のビニールシートの洗浄に適用するとその効果が大きいが、他の軟質のシートの洗浄にも適用できる。
【発明を実施するための最良の形態】
【００１８】
以下、本発明を図面に示す具体例に基づいて詳細に説明する。図１ないし図３は本発明に係るシート洗浄機の好ましい実施形態を示す。図において、シート洗浄機１０には架台１１が設けられ、架台１１の底部四隅には自在キャスタ１２が取付けられている。
【００１９】
架台１１の上面両側にはハウジング１３、１４が前後方向に延びて設けられ、ハウジンク１、１４内には複数の上下一対の軸受（図示せず）が前後方向に間隔をあけて取付けられ、複数の軸受には搬送手段２０〜２４のローラ（例えば、３０ｍｍ径）及びブラシ洗浄手段３０〜３３のブラシローラ（例えば、４０ｍｍ径）のシャフトが交互にかつ回転自在に支持されている。
【００２０】
ここで、上側の軸受はハウジング１３、１４に対して上下動自在に設けられてばね部材によって下方に付勢されており、これによって上側のローラ及びブラシローラは所定の圧力でもってシートＳに押しつけられるようになっている。
【００２１】
また、２番目のブラシ洗浄手段３１の上側のブラシロール及び３番目のブラシ洗浄手段３２の下側のブラシロールは仕上げを行えるように、他のブラシロールに比して柔らかなブラシが用いられている。
【００２２】
ハウジング１３には駆動モータ５０が取付けられ、駆動モータ５０の回転軸には駆動ギアが取付けられ、又ハウジング１３内のローラ及びブラシローラのシャフトにはギアが取付けられ、各ギアはチェーンによって連結されており、駆動モータ５０の回転が各ローラ及びブラシローラに伝えられてローラ及びブラシローラが同速度で回転されるようになっている。
【００２３】
さらに、ハウジング１３、１４の間には上側水管（洗浄水吹付け手段兼第１ノズル手段）４０〜４４と下側水管（洗浄水吹付け手段兼第１ノズル手段）４５〜４８がシート洗浄機１０の幅方向に延びて設けられ、上側水管４０〜４４には斜め下後方に洗浄水を吹き付けるノズルが適切な間隔をあけて形成され、下側水管４５〜４８には斜め上前方に洗浄水を吹き付けるノズルが適切な間隔をあけて形成されている。
【００２４】
さらに、下側水管４５〜４８から吹き付けられる洗浄水は上側水管４０〜４４から吹き付けられる洗浄水よりも２５％程度多くなるようにノズル及び／又は供給圧力が調整されている。
【００２５】
さらに、架台１１の前端縁及び後端縁には供給テーブル６０及び受けテーブル７０が傾動・係止可能に取付けられ、供給テーブル６０の始端には水管４９が幅方向に延びて取付けられ、水管４９には洗浄水を吐出するノズルが適切な間隔をあけて形成されている。
【００２６】
また、受けテーブル７０の始端には曲線状をなすガイドバー７０Ａが設けられ、洗浄済みのシートＳを受けテーブル７０上に案内するようになっている。
【００２７】
例えば、育苗箱のシートＳを洗浄する場合、上下の水管４０〜４９に水道水を供給するとともに、駆動モータ５０を作動させると、搬送手段２０〜２４のローラが回転されるとともに、ブラシ洗浄手段３０〜３３のブラシローラが回転され、同時に上側水管４０〜４４から斜め下後向きに、又下側水管４５〜４８から斜め上前向きに洗浄水が吹き付けられ、又供給テーブル６０上には水管４９から洗浄水が放水される。
【００２８】
このような状態で供給シテーブル６０上にシートＳを載せて最初の搬送手段２０のローラ間に送り込む。すると、供給テーブル６０上が水で濡れているので、シートＳを軽く滑らせることができ、搬送手段２０に円滑に送り込むことができる。
【００２９】
最初の搬送手段２０に送り込まれたシートＳは搬送手段２０によって前方のブラシ洗浄手段３０に向けて送り出され、図３の(a)に示されるように、上側水管４０のノズルから斜め下後方に洗浄水が吹き付けられ、シートＳは下向きの圧力を受けた後、図３の(b)に示されるように、下側水管４５のノズルから斜め上前向きに吹き付けられる洗浄水と接触し、この洗浄水によって上向きの圧力を受けて持ち上げられ、図３の(c)に示されるように、最初のブラシ洗浄手段３０に送り込まれ、シートＳに付着した泥の大部分が掻き落とされる。
【００３０】
最初のブラシ洗浄手段３０を出たシートＳは上側水管４１のノズルから斜め下後方に洗浄水が吹き付けられ、シートＳは下向きの圧力を受けた後、下側水管４６のノズルから斜め上前向きに吹き付けられる洗浄水と接触し、この洗浄水によって上向きの圧力を受けて持ち上げられ、２番目のブラシ洗浄手段３１に送り込まれる。
【００３１】
同様に、２番目のブラシ洗浄手段３１を出たシートＳは上側水管４２及び下側水管４７のノズルからの洗浄水を受けて３番目のブラシ洗浄手段３２に送り込まれ、２番目及び３番目のブラシ洗浄手段３１、３２では上下いずれか一方のブラシローラのブラシが軟らかいので、シートＳに残った泥を掻き落とすことができる。
【００３２】
３番目のブラシ洗浄手段３２を出たシートＳは上側水管４３及び下側水管４８のノズルからの洗浄水を受けて最後のブラシ洗浄手段３３に送り込まれる。この最後のブラシ洗浄手段３３のブラシローラは最初のブラシ洗浄手段３０と同様に比較的硬いブラシが用いられているので、シートＳに付着して残った稲苗の根を掻き落とすことができる。
【００３３】
最後のブラシ洗浄手段３３を出たシートＳは最後の搬送手段４４を経て前方に送り出され、ガイドバー７０Ａによって案内されて受けテーブル７０上に積み重ねられる。
【００３４】
洗浄が終了すると、シートＳを天日乾しなどによって乾燥させ、倉庫に保管することができる。
【００３５】
なお、上記の例では複数の洗浄ブラシ手段及び搬送手段を設けたが、１組の第１の搬送手段、ブラシ洗浄手段及び第２の搬送手段を設けるようにしてもよい。
【図面の簡単な説明】
【００３６】
【図１】本発明に係るシート洗浄機の好ましい実施形態における全体構成を示す概略斜視図である。
【図２】上記実施形態における要部の構造を示す図である。
【図３】上記実施形態における作動を様式的に示す図である。
【符号の説明】
【００３７】
１０        シート洗浄機
２０、２１、２２、２３、２４      搬送手段（第１、第２の搬送手段）
３０、３１、３２、３３      ブラシ洗浄手段
４０、４１、４２、４３、４４      上側水管（洗浄水吹付け手段兼第１のノズル手段）
４５、４６、４７、４８      下側水管（洗浄水吹付け手段兼第２のノズル手段）
Ｓ          シート
【図１】
2008155127.tif 000003
【図２】
2008155127.tif 000004
【図３】
2008155127.tif 000005